(57)【要約】【課題】  アクセスポイントがある場所のみで無線通信が可能であるホットスポット内施設を探索し表示することができるホットスポット内施設表示システムおよびナビゲーション装置を提供する。【解決手段】  ホットスポット内施設の情報を収集および発信する無線通信エリア情報センター５４が刻々と変わるホットスポット内施設の情報を収集する。そして、無線通信エリア情報センター５４において、収集したホットスポット内施設情報を整理して編集し、ＶＩＣＳセンター５５に送信する。ＶＩＣＳセンター５５では、受信したホットスポット内施設情報を電波ビーコン５６、光ビーコン５７およびＦＭ多重放送５８によって発信する。発信されたホットスポット内施設情報は、ナビゲーション装置１に受信される。【選択図】図５
2006145482.tif 000002
【特許請求の範囲】
【請求項１】
ＦＭ多重放送、光ビーコンまたは電波ビーコンによる交通情報とともに、ホットスポットに関する無線通信情報を受信する受信手段と、
自車両の現在地を検出する現在地検出手段と、
前記受信手段によって受信した無線通信情報と、前記現在地検出手段によって検出した自車両の現在地とに基づいて、前記現在地から所定の範囲内にあるホットスポットを利用して無線通信可能である施設を抽出する抽出手段と、
前記抽出手段によって抽出した施設のうちの一つの施設までの道路地図を表示する表示手段とを備えたことを特徴とするナビゲーション装置。
【請求項２】
請求項１に記載のナビゲーション装置において、
前記抽出手段によって抽出した施設のうちの一の施設までの経路を探索する探索手段と、
前記探索手段によって探索された探索経路を誘導する経路誘導手段とをさらに備えたことを特徴とするナビゲーション装置。
【請求項３】
交通情報を送信するＦＭ多重放送、光ビーコンまたは電波ビーコンによりホットスポットを利用して無線通信可能である施設の情報も送信する情報配信手段と、
請求項１または２のナビゲーション装置とを備えることを特徴とするホットスポット内施設表示システム。
【発明の詳細な説明】
【技術分野】
【０００１】
本発明は、ホットスポットを利用して無線通信により情報を送受信することができるホットスポット内施設を表示するホットスポット内施設表示システムおよびホットスポット内施設を表示するナビゲーション装置に関する。
【背景技術】
【０００２】
携帯情報端末機の使用者が特定の無線ＬＡＮ通信システムの基地局に対する通信可能領域に入った場合には、無線ＬＡＮ通信システムの基地局及び携帯情報端末機がこれを自動検知すると共に、携帯情報端末機の使用者に対して無線ＬＡＮ通信システムの基地局からの発信情報が受信可能であることを知らしめる情報提供方式が知られている（特許文献１）。
【特許文献１】特開２００２−３５９８６３号公報
【発明の開示】
【発明が解決しようとする課題】
【０００３】
特許文献１に記載されている情報提供方式により、無線ＬＡＮ通信システムの基地局からの発信情報が受信可能であるか否かは確認できるが、無線ＬＡＮ通信システムの基地局からの発信情報が受信不可能な場所にいるとき、発信情報が受信可能なエリアを確認できないという問題点がある。
【課題を解決するための手段】
【０００４】
（１）請求項１の発明のナビゲーション装置は、ＦＭ多重放送、光ビーコンまたは電波ビーコンによる交通情報とともに、ホットスポットに関する無線通信情報を受信する受信手段と、自車両の現在地を検出する現在地検出手段と、受信手段によって受信した無線通信情報と、現在地検出手段によって検出した自車両の現在地とに基づいて、現在地から所定の範囲内にあるホットスポットを利用して無線通信可能である施設を抽出する抽出手段と、抽出手段によって抽出した施設のうちの一つの施設までの道路地図を表示する表示手段とを備えたことを特徴とする。
（２）請求項２の発明は、請求項１に記載のナビゲーション装置において、抽出手段によって抽出した施設のうちの一の施設までの経路を探索する探索手段と、探索手段によって探索された探索経路を誘導する経路誘導手段とをさらに備えたことを特徴とする。
（３）請求項３の発明のホットスポット内施設表示システムは、交通情報を送信するＦＭ多重放送、光ビーコンまたは電波ビーコンによりホットスポットを利用して無線通信可能である施設の情報も送信する情報配信手段と、請求項１または２のナビゲーション装置とを備えることを特徴とする。
【発明の効果】
【０００５】
本発明によれば、ナビゲーション装置にホットスポットを利用して無線通信可能である施設までの道路地図を表示するので、ホットスポットを利用して無線通信が可能である施設を簡単に知ることができる。
【発明を実施するための最良の形態】
【０００６】
本発明の実施形態によるナビゲーション装置の構成を図１に示す。ナビゲーション装置１は、制御回路１１、ＲＯＭ１２、ＲＡＭ１３、現在地検出装置１４、画面メモリ１５、表示モニタ１６、入力装置１７、ＶＩＣＳ情報受信部１８、ディスクドライブ１９、携帯電話接続部１１０および無線通信部１１１を有している。ディスクドライブ１９には、地図データが記録されたＤＶＤ−ＲＯＭ１１２が装填される。携帯電話接続部１１０により、ナビゲーション装置１と携帯電話１１３とを接続することができ、ナビゲーション装置１からの電話番号の出力により携帯電話１１３を発呼することができる。
【０００７】
制御回路１１は、マイクロプロセッサ及びその周辺回路からなり、ＲＡＭ１３を作業エリアとしてＲＯＭ１２に格納された制御プログラムを実行して各種の制御を行う。現在地検出装置１４は車両の現在地を検出装置であり、たとえば、車両の進行方位を検出する振動ジャイロ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃ等からなる。ナビゲーション装置１は、この現在地検出装置１４により検出された車両の現在地に基づいて、地図の表示範囲や経路探索開始点などを決定するとともに、地図上にその現在地を表示する。
【０００８】
目的地が乗員により設定されると、ナビゲーション装置１は、現在地検出装置１４により検出された現在地を出発地として、所定のアルゴリズムに基づいて、目的地までの経路演算を制御回路１１において行う。このようにして求められた経路（以下、探索経路という）は、表示形態、たとえば表示色などを変えることによって、ほかの道路とは区別して画面表示される。これにより、乗員は地図上の探索経路を画面上で認識することができる。また、ナビゲーション装置１は、探索経路に従って車両が走行できるように、乗員に対して画面や音声などによる進行方向指示を行い、車両を経路誘導する。
【０００９】
画像メモリ１５は、表示モニタ１６において表示するための画像データを格納する。この画像データは道路地図描画用データや各種の図形データからなり、それらはディスクドライブ１９によって読み込まれるＤＶＤ−ＲＯＭ１１２に記録された地図データに基づいて、制御回路１１において適宜生成される。
【００１０】
表示モニタ１６は、地図データなどの各種情報に基づいて、自車位置付近の地図などの各種情報を画面表示として乗員に提供する。入力装置１７は、車両の目的地を乗員が設定するための入力スイッチを有し、これは操作パネルやリモコンなどによって実現される。乗員は、表示モニタ１６に表示される画面の指示に従って入力装置１７を操作することにより、目的地を選択して設定する。
【００１１】
ＶＩＣＳ情報受信部１８は、図示しないＶＩＣＳ情報センターから供給される渋滞情報などのＶＩＣＳ情報を受信し、制御回路１１に出力する。ＶＩＣＳ情報センターでは、日本道路交通情報センターからの情報を編集し、ＶＩＣＳ情報を作成する。ここで、ＶＩＣＳ情報とは、ＶＩＣＳセンターで作成された道路の渋滞や混雑などに関する交通情報をいう。このＶＩＣＳ情報は、主に高速道路上に設置されている電波ビーコンや主に一般道路上に設置されている光ビーコン、またはＦＭ多重放送によって送信される。
【００１２】
ディスクドライブ１９は、表示モニタ１６の表示モニタへ地図を表示するための地図データを装填されたＤＶＤ−ＲＯＭ１１２より読み出す。なお、ＤＶＤ−ＲＯＭ以外の他の記録メディア、たとえばＣＤ−ＲＯＭやハードディスクなどより地図データを読み出してもよい。この地図データには、経路を演算するために用いられる経路計算データや、交差点名称、道路名称など、ユーザに選択された推奨経路に従って自車両を目的地まで案内するために用いられる経路誘導データ、道路形状を表す道路データ、さらには海岸線や河川、鉄道、地図上の各種施設（ランドマーク）など、道路以外の地図形状を表す背景データなどが含まれている。
【００１３】
無線通信部１１１は、アクセスポイントがある場所のみで利用が可能である近距離無線通信システムによって情報の送受信を行う。ここで、近距離無線通信システムとは、数ｍ〜１００ｍ程度の比較的狭い範囲内でのみ無線通信を行うシステムである。なお、このアクセスポイントの周辺をホットスポットと呼ぶ。たとえば、交通情報を取り込むビーコンやＥＴＣ、無線ＬＡＮによる電波の送受信に無線通信部１１１は使用される。無線通信部１１１で受信された情報は、表示モニタ１６に表示することができる。
【００１４】
次に、本発明の実施形態の無線通信可能エリア表示システムおよびナビゲーション装置について図２〜５を参照して説明する。
図２は、表示モニタ１６の表示画面例である。この表示画面には、自車位置２１を表示した道路地図２２と共に、施設の種類から目的地を設定するための施設ジャンル別目的地設定メニュー２３が表示される。本発明の実施形態では、施設ジャンル別目的地設定メニュー２３には、カー＆ドライブボタン２４、スポーツ＆レジャーボタン２５、観光ボタン２６、無線通信ボタン２７、買い物ボタン２８および飲食ボタン２９が表示される。
【００１５】
入力装置１７によって、カー＆ドライブボタン２４を選択すると、ガソリンスタンドなどの車や運転に関係のある周辺施設のリストが表示され、スポーツ＆レジャーボタン２５を選択すると、テニスコートや遊園地などの運動やレジャーに関係のある周辺施設のリストが表示される。また、観光ボタン２６を選択すると、周辺の観光地リストが表示され、無線通信ボタン２７を選択すると、上述した近距離無線通信システムを利用可能な周辺施設（以下、ホットスポット内施設）のリストが表示される。また、買い物ボタン２８を選択すると、スーパーマーケットなどの買い物に関係のある周辺施設のリストが表示され、飲食ボタン２９を選択すると、レストランなどの飲食に関係のある周辺施設のリストが表示される。
【００１６】
無線通信ボタン２７を選択すると、図３に示す表示画面が表示モニタ１６に表示される。図３で示す表示モニタ１６の表示画面には、自車位置２１を表示した道路地図２２と共に、ホットスポット内施設のリスト３１が表示される。表示される周辺施設のリストには、自車両の現在地から所定の範囲内、たとえば２ｋｍ以内に存在するホットスポット内施設が表示され、自車両の現在地から近い順序で上欄から表示される。
【００１７】
ホットスポット内施設のリスト３１のうち、タパスという店３２を選択すると、図４に示す表示画面が表示モニタ１６に表示される。図４で表示される表示モニタ１６の表示画面には、道路地図２２上にホットスポット内施設名称４１、その施設に関する情報４２、その施設の住所および電話番号４３、地図表示ボタン４４、電話ボタン４５、目的地設定ボタン４６が表示される。
【００１８】
地図表示ボタン４４を入力装置１７によって選択すると、現在地からホットスポット内施設である店「タパス」３２までの道路地図２２が表示される。また、電話ボタン４５を選択すると携帯電話接続部１１０を通じてホットスポット内施設である店「タパス」３２の電話番号が携帯電話１１３へ出力され、携帯電話１１３のハンズフリー機能を利用することによって、ホットスポット内施設である店「タパス」３２に対して問合せを行うことができる。また。目的地設定ボタン４６を選択すると、現在地を出発点として、ホットスポット内施設である店「タパス」３２を目的地として経路探索が行われ、ホットスポット内施設である店「タパス」３２までの経路誘導が行われる。
【００１９】
次に、本発明の実施形態においてナビゲーション装置１の表示モニタ１６に表示されるホットスポット内施設の情報（以下、ホットスポット内施設情報と呼ぶ）の提供システムを図５を参照して説明する。
【００２０】
アクセスポイントがある場所、すなわち、ホットスポットで無線通信によってエリア情報を授受する無線通信エリア情報センター５４は、無線通信を使用したデータ通信サービスを行っているサービス提供会社５１、それぞれの地域にある商店組合や商工会５２、ホットスポット内施設５３などから刻々と変わる無線通信可能なエリア情報、すなわち、上述したホットスポット内施設情報を収集する。そして、無線通信エリア情報センター５４において、収集したホットスポット内施設情報を編集し、ＶＩＣＳセンター５５に送信する。ＶＩＣＳセンター５５では、受信したホットスポット内施設情報を電波ビーコン５６、光ビーコン５７およびＦＭ多重放送５８によって発信する。発信されるホットスポット内施設情報には、ホットスポット内施設の位置や施設の内容、住所、電話番号などが含まれている。ＶＩＣＳセンター５５から発信されるホットスポット内施設の範囲は、ＶＩＣＳセンターから送信される交通情報の範囲に対応する。たとえば、電波ビーコン５６や光ビーコン５７では比較的狭い範囲に存在するホットスポット内施設のホットスポット内施設情報が発信され、ＦＭ多重放送５８では、広範囲に存在するホットスポット内施設のホットスポット内施設情報が発信される。
【００２１】
電波ビーコン５６、光ビーコン５７およびＦＭ多重放送５８から発信されたホットスポット内施設情報は、ナビゲーション装置１のＶＩＣＳ情報受信部１８によって受信され、ＲＡＭ１３に記憶される。ＲＡＭ１３に記憶されたホットスポット内施設情報は、車両が電波ビーコン５６、光ビーコン５７およびＦＭ多重放送５８を受信するたびに更新される。
【００２２】
次に、図６のフローチャートを参照して、ホットスポット内施設を表示する処理プロセスを説明する。これは制御回路１１によってプログラムを実行して行われる。
ステップＳ６０１では、無線通信ボタン２７が入力装置１７によって選択されたか否かの判定が行われる。肯定判定の場合は、ステップＳ６０２へ進む。否定判定された場合は、ステップＳ６０１に戻る。ステップＳ６０２では、ＶＩＣＳ情報受信部１８で受信され、ＲＡＭ１３に記憶されているホットスポット内施設情報から、自車両の現在地から所定の範囲内にあるホットスポット内施設のホットスポット内施設情報を抽出する。自車位置から所定の範囲内に存在するホットスポット内施設は、現在地検出装置１４によって検出されている自車位置と、ＲＡＭ１３に記憶されているホットスポット内施設の位置情報とに基づいて抽出される。
【００２３】
ステップＳ６０３では、抽出されたホットスポット内施設のリスト３１が表示される。ステップＳ６０４では、リスト３１として表示されたホットスポット内施設のうちの一つが選択されたか否かの判定を行う。肯定判定された場合は、ステップＳ６０５へ進み、否定判定された場合は、ステップＳ６０４へ戻る。
【００２４】
ステップＳ６０５では、選択されたホットスポット内施設の名称や施設の内容、無線通信サービスのサービス提供会社名、施設の住所、電話番号などの選択されたホットスポット内施設のホットスポット内施設情報が表示モニタ１６に表示される。また、その施設情報と共に、地図表示ボタン４３、電話ボタン４４および目的地設定ボタン４５が表示される。ステップＳ６０６では、地図表示ボタン４３が選択されたか否かを判定する。肯定判定の場合はステップＳ６０７へ進み、現在地からホットスポット内施設までを含む地図を表示モニタ１６に表示する。否定判定の場合は、ステップＳ６０８へ進む。ステップＳ６０８では、電話ボタン４４が選択されたか否かの判定を行う。肯定判定の場合は、ステップＳ６０９へ進み、選択された施設の電話番号を携帯電話１１３から発呼する。
【００２５】
ステップＳ６１０では、目的地設定ボタン４５が選択されたか否かを判定する。肯定判定の場合は、ステップＳ６１１へ進み、自車位置から選択したホットスポット内施設までの経路が探索される。そして、ステップＳ６１２では、選択したホットスポット内施設までの経路誘導が行われる。ステップＳ６１０で否定判定された場合はステップＳ６１３へ進む。ステップＳ６１３では、リスト３１として表示されたホットスポット内施設の中から、今まで選択したものとは別の施設が選択されたか否かの判定を行う。肯定判定の場合は、ステップＳ６０５へ戻る。否定判定の場合は、制御回路１１のホットスポット内施設の表示処理を終了する。
【００２６】
以上のようなナビゲーション装置を使用してユーザは次のようにホットスポット内施設で各種情報を授受することができる。
ナビゲーション装置１の表示モニタ１６に表示される現在地からホットスポット内施設までの地図により、またはホットスポット内施設まで行われる経路誘導により、乗員はホットスポット内施設に容易に到着することができる。ホットスポット内施設に到着した乗員は、その施設に設置されている無線ＬＡＮなどを使用して、無線通信部１１１を介してナビゲーション装置から電子メールを送信したりインターネットなどに接続することができる。また、無線ＬＡＮとの接続が可能なノートパソコンやＰＤＡ（Ｐｅｒｓｏｎａｌ  Ｄｉｇｉｔａｌ  Ａｓｓｉｓｔａｎｔｓ）を所持している場合は、ノートパソコンやＰＤＡによっても電子メールを送信したりインターネットに接続したりすることができる。
【００２７】
以上の実施の形態によるホットスポット内施設表示システムおよびナビゲーション装置１は次のような作用効果を奏する。
（１）アクセスポイントがある場所のみで利用が可能であるホットスポット内施設は日々更新されているので、取得したホットスポット内施設情報はすぐに古い情報となってしまう。しかし、本発明の実施形態では、車両が電波ビーコン５６、光ビーコン５７およびＦＭ多重放送５８を介して最新のホットスポット内施設を受信すると、ナビゲーション装置１に記憶されているホットスポット内施設情報を更新するようにしたので、常に最新のホットスポット内施設情報をナビゲーション装置に記憶させることができる。
（２）ホットスポット内施設において、観光案内に関する情報などを取得することができるので、旅行先で観光案内所へ行くことなく、自車位置から一番近いホットスポット内施設へ行くことによって、観光情報を取得することができる。
【００２８】
（３）複数の車両で旅行する場合に、ホットスポット内施設において、でナビゲーション装置を利用して、電子メールによって複数の車両間で情報交換を行うことができるので、車両から降車することなく情報の交換をすることができる。
（４）ホットスポット内施設まで経路誘導が行われるので、出張先など不案内な地域で急にデータを送信しなくてはならない場合であっても、ホットスポット内施設までたどり着くことができ、無線通信を使用してデータを送信することができる。
【００２９】
（５）一般のナビゲーション装置に搭載されるＶＩＣＳ受信部１８を利用するので、新たな通信手段をナビゲーション装置に設けることなく、ホットスポット内施設情報を取得することができる。
【００３０】
以上の実施形態では、近距離無線通信システムとして無線ＬＡＮを一例に挙げたが、所定の範囲に通信距離が特定されており、アクセスポイントがある場所のみで利用可能である近距離無線通信システムであれば、無線通信システムは無線ＬＡＮに限定されない。たとえば、ビーコンやＤＳＲＣ（Ｄｅｄｉｃａｔｅｄ  Ｓｈｏｒｔ  Ｒａｎｇｅ  Ｃｏｍｍｕｎｉｃａｔｉｏｎ）でもよい。
【００３１】
特許請求の範囲の要素と実施の形態との対応関係を説明する。
本願発明の受信手段はＶＩＣＳ情報受信部１８に対応し、現在地検出手段は現在地検出装置１４に対応する。抽出手段は制御回路１１に対応し、表示手段は表示モニタ１６に対応する。探索手段は制御回路１１に対応し、経路誘導手段は表示モニタ１６に対応する。ホットスポットを利用して無線通信可能である施設はホットスポット内施設に対応し、ホットスポットに関する無線通信情報およびホットスポットを利用して無線通信可能である施設の情報はホットスポット内施設情報に対応する。なお、以上の説明はあくまで一例であり、発明を解釈する上で、上記の実施形態の構成要素と本発明の構成要素の対応関係になんら限定されるものではない。
【図面の簡単な説明】
【００３２】
【図１】本発明の実施形態のナビゲーション装置の構成を示すブロック図である。
【図２】施設の種類から目的地を設定するメニューを表示したときの表示モニタの表示画面を示した図である。
【図３】ホットスポット内施設のリストを表示したときの表示モニタの表示画面を示した図である。
【図４】ホットスポット内施設情報を表示したときの表示モニタの表示画面を示した図である。
【図５】ホットスポット内施設表示システムを説明するための図である。
【図６】制御回路におけるホットスポット内施設を表示する処理プロセスを説明するためのフローチャートである。
【符号の説明】
【００３３】
１  ナビゲーション装置
１１  制御回路
１２  ＲＯＭ
１３  ＲＡＭ
１４  現在地検出装置
１５  画像メモリ
１６  表示モニタ
１７  入力装置
１８  ＶＩＣＳ情報受信部
１９  ディスクドライブ
１１０  携帯電話接続部
１１１  無線通信部
１１２  ＤＶＤ−ＲＯＭ
１１３  携帯電話
２１  自車位置
２２  道路地図
２３  メニュー
３１  リスト
【図１】
2006145482.tif 000003
【図２】
2006145482.tif 000004
【図３】
2006145482.tif 000005
【図４】
2006145482.tif 000006
【図５】
2006145482.tif 000007
【図６】
2006145482.tif 000008